(57)【要約】【課題】偶数色の色画素を有する指向性画像表示装置において、各方向に表示される画像において表示色の偏りが発生するのを抑制する。【解決手段】指向性画像表示装置は、複数の方向にそれぞれ異なる画像を表示することが可能であり、所定の方向に並んだ複数色の色画素を備え、各色の色画素が偶数個並んで画素を構成している。この指向性画像表示装置では、各画素において、各色の偶数個の色画素は、奇数番目の位置にある色画素数と、偶数番目の位置にある色画素数と、が等しくなるように配置されている。【選択図】図５
2009003256.tif 000002
【特許請求の範囲】
【請求項１】
複数の方向にそれぞれ異なる画像を表示することが可能な指向性画像表示装置であって、
複数の画素で構成される画素配列パネルを備え、
各画素は、所定の方向に沿って一列に並ぶ副画素からなり、Ｎ種類（Ｎは偶数）の色のそれぞれについてＭ個（Ｍは偶数）の副画素を含む、Ｎ×Ｍ個の副画素からなる副画素群で構成されており、
前記副画素群のうち、少なくとも１つの色に対応するＭ個の副画素は、前記所定の方向に沿って当該画素の始端から測って奇数番目の位置にある副画素数と偶数番目の位置にある副画素数とが等しくなるように配列されている、指向性画像表示装置。
【請求項２】
請求項１に記載の指向性画像表示装置において、
前記副画素群は、所定の偶数色の副画素がＮ個並ぶ第１の副画素セットと、前記第１の副画素セットに隣接する前記所定の偶数色の副画素がＮ個並ぶ第２の副画素セットと、を有し、
前記第１の副画素セットにおいて、前記所定の方向に沿って前記第１の副画素セットの始端から測って偶数番目に位置する副画素と同じ色の副画素は、前記第２の副画素セットにおいて、前記所定の方向に沿って前記第２の副画素セットの始端から測って奇数番目に位置する、指向性画像表示装置。
【請求項３】
請求項２に記載の指向性画像表示装置において、
前記所定の方向に沿って前記第１の副画素セットの始端から測って１番目に位置する始端副画素と、前記所定の方向に沿って前記第２の副画素セットの終端から測って１番目に位置する終端副画素と、は互いに同じ色の副画素であり、
前記第１の副画素セットの各副画素のうち前記始端副画素を除く（Ｎ−１）個の副画素の並びと、前記第２の副画素セットの各副画素のうち前記終端副画素を除く（Ｎ−１）個の副画素の並びと、は同じである、指向性画像表示装置。
【請求項４】
請求項２に記載の指向性画像表示装置において、
前記第１の副画素セットと前記第２の副画素セットは、それぞれ、２色の隣り合う副画素からなる副画素組が１つ以上並んで構成されており、
前記第１の副画素セットを構成する前記副画素組内における２色の副画素の並びは、前記第２の副画素セットを構成する同じ２色の副画素組内における２色の副画素の並びとは異なるように配列されている、指向性画像表示装置。
【請求項５】
請求項１ないし請求項４のいずれかに記載の指向性画像表示装置において、
前記第１の副画素セットと前記第２の副画素セットとは、それぞれ、赤色の副画素と、緑色の副画素と、青色の副画素と、白色の副画素と、を有する、指向性画像表示装置。
【発明の詳細な説明】
【技術分野】
【０００１】
本発明は、複数の方向から見た場合に、それぞれの方向毎に異なる画像（映像）を表示する技術に関する。
【背景技術】
【０００２】
従来、複数の方向から見た場合に、それぞれの視方向ごとに異なる画像（映像）を表示する画像表示装置（以下、「指向性画像表示」と呼ぶ）が提案されている。この指向性画像表示装置として、液晶パネルを備えるものがある。液晶パネルとして、各画素が、赤（Ｒ），緑（Ｇ），青（Ｂ）の３原色の副画素（色画素）の他に、液晶パネルの輝度の向上等を目的として白（Ｗ）やエメラルドグリーン（ＥＧ）等の色画素を有するものが提案されている。
【０００３】
【特許文献１】特開２００１−１５４６３６号公報
【発明の開示】
【発明が解決しようとする課題】
【０００４】
指向性画像表示装置において、４色や６色等の偶数色の色画素から成る画素を有する液晶パネルを用いた場合に、表示画像において色の偏りが生じてしまいフルカラー表示ができないという問題があった。
【０００５】
図１１（Ａ）は、従来の指向性画像表示装置における色画素の配列を模式的に示す説明図である。図１１（Ｂ）は、図１１（Ａ）に示す色画素の配列において表示される画像を模式的に示す説明図である。図１１（Ａ）の例では、上記特許文献１に記載の表示装置と同様に、Ｒ，Ｇ，Ｂ，Ｗの４色の色画素がこの順番で水平方向に繰り返し並んでいる。このような色画素配列を有する指向性画像表示装置では、ストライプ型の視差バリヤによって、水平方向に並んだ２つの方向にそれぞれ異なる画像を表示することができる。図１１（Ｂ）の例では、２つの方向のうち一方の方向（第１の方向）に表示される画像を示す。図１１（Ｂ）に示すように、第１の方向には、Ｒ（赤）とＢ（青）の副画素からのみ画像光が射出される。したがって、第１の方向に表示される画像はフルカラー表示されない。また、第１の方向には、Ｗ（白）の副画素からの画像光も射出されないので、比較的暗い画像が表示される。このとき、他方の方向（第２の方向）には、Ｇ（緑）とＷ（白）の副画素からのみ画像光が射出されることとなる（図示省略）。したがって、第２の方向について表示される画像もフルカラー表示されないこととなる。
【０００６】
なお、上述した問題は、Ｒ，Ｇ，Ｂ，Ｗ以外の色の色画素を有する画像表示装置においても発生し得る。また、４色に限らず、６色等任意の偶数色の色画素を有する画像表示においても発生し得る。また、ストライプバリヤに限らずステップバリヤを用いた構成や、視差バリヤの代わりにレンチキュラレンズを用いた構成においても発生し得る。また、液晶パネルに限らず、有機ＥＬ（ElectroLuminescence）や無機ＥＬなど、他の表示機構を有する指向性画像表示装置においても発生し得る。
【０００７】
本発明は、上述の課題の少なくとも一部を解決するためになされたものであり、偶数色の色画素を有する指向性画像表示装置において、各方向に表示される画像で表示色の偏りが発生するのを抑制することが可能な技術を提供することを目的とする。
【課題を解決するための手段】
【０００８】
本発明は、上述の課題の少なくとも一部を解決するためになされたものであり、以下の形態又は適用例として実現することが可能である。
【０００９】
［適用例１］複数の方向にそれぞれ異なる画像を表示することが可能な指向性画像表示装置であって、複数の画素で構成される画素配列パネルを備え、各画素は、所定の方向に沿って一列に並ぶ副画素群からなり、Ｎ種類（Ｎは偶数）の色のそれぞれについてＭ個（Ｍは偶数）の副画素を含む、Ｎ×Ｍ個の副画素からなる副画素群で構成されており、前記副画素群のうち、少なくとも１つの色に対応するＭ個の副画素は、前記所定の方向に沿って当該画素の始端から測って奇数番目の位置にある副画素数と偶数番目の位置にある副画素数とが等しくなるように配列されている、指向性画像表示装置。
【００１０】
適用例１の指向性画像表示装置では、各色画素において、少なくとも１つの色のＭ個の副画素は、所定の方向に沿って画素の始端から測って奇数番目の位置にある副画素数と偶数番目の位置にある副画素数とが等しいので、少なくとも１つの色について異なる方向に対してそれぞれ同じ数の副画素によって画像を表示することができ、各方向に表示される画像において表示色の偏りが発生するのを抑制することができる。
【００１１】
［適用例２］適用例１に記載の指向性画像表示装置において、前記副画素群は、所定の偶数色の副画素がＮ個並ぶ第１の副画素セットと、前記第１の副画素セットに隣接する前記所定の偶数色の副画素がＮ個並ぶ第２の副画素セットと、を有し、前記第１の副画素セットにおいて、前記所定の方向に沿って前記第１の副画素セットの始端から測って偶数番目に位置する副画素と同じ色の副画素は、前記第２の副画素セットにおいて、前記所定の方向に沿って前記第２の副画素セットの始端から測って奇数番目に位置する、指向性画像表示装置。
【００１２】
このような構成とすることで、互いに隣接する第１と第２の副画素セットでは、同じ方向に対してそれぞれ異なる色の副画素によって画像光を射出するので、各方向についてそれぞれＮ種類の副画素によって画像を表示させることができる。
【００１３】
［適用例３］適用例２に記載の指向性表示装置において、前記所定の方向に沿って前記第１の副画素セットの始端から測って１番目に位置する始端副画素と、前記所定の方向に沿って前記第２の副画素セットの終端から測って１番目に位置する終端副画素と、は互いに同じ色の副画素であり、前記第１の副画素セットの各副画素のうち前記始端副画素を除く（Ｎ−１）個の副画素の並びと、前記第２の副画素セットの各副画素のうち前記終端副画素を除く（Ｎ−１）個の副画素の並びと、は同じである、指向性画像表示装置。
【００１４】
このような構成とすることで、第１の色画素セットにおいて始端から測って偶数番目に位置する副画素と同じ色の副画素を、第２の色画素セットにおいて始端から測って奇数番目に位置するようにすることができる。
【００１５】
［適用例４］適用例２に記載の指向性画像表示装置において、前記第１の副画素セットと前記第２の副画素セットは、それぞれ、２色の隣り合う副画素からなる副画素組が１つ以上並んで構成されており、前記第１の副画素セットを構成する前記副画素組内における２色の副画素の並びは、前記第２の副画素セットを構成する同じ２色の副画素組内における２色の副画素の並びとは異なるように配列されている、指向性画像表示装置。
【００１６】
このような構成とすることで、第１の色画素セットにおいて始端から測って偶数番目に位置する副画素と同じ色の副画素を、第２の色画素セットにおいて始端から測って奇数番目に位置するようにすることができる。
【００１７】
［適用例５］適用例１ないし適用例４のいずれかに記載の指向性画像表示装置において、前記第１の副画素セットと前記第２の副画素セットとは、それぞれ、赤色の副画素と、緑色の副画素と、青色の副画素と、白色の副画素と、を有する、指向性画像表示装置。
【００１８】
このような構成とすることで、各方向に対して、比較的明るいフルカラー画像を表示することが可能となる。
【発明を実施するための最良の形態】
【００１９】
以下、本発明を実施するための最良の形態を実施例に基づいて以下の順序で説明する。
Ａ．第１の実施例：
Ｂ．第２の実施例：
Ｃ．第３の実施例：
Ｄ．第４の実施例：
Ｅ．変形例：
【００２０】
Ａ．第１の実施例：
図１は、本発明の一実施例としての指向性画像表示装置の概略構成を示す説明図である。この指向性画像表示装置１０００は、第１方向には第１画像を表示し、第２の方向には第２画像を表示すること（指向性表示）ができるように構成されている。具体的には、指向性画像表示装置１０００は、液晶パネル１００と、視差バリヤ２００と、液晶パネル駆動部１４０と、画像データ変換部１５０と、メモリ１６０とを備えている。視差バリヤ２００は、液晶パネル１００の前方（観察者側）に配置されており、液晶パネル１００から受けた画像光の射出方向を制御して、各方向にそれぞれの画像を表す画像光を射出する。
【００２１】
メモリ１６０には、ルックアップテーブル（以下、「ＬＵＴ」とも呼ぶ。）１６０ａが格納されている。このＬＵＴ１６０ａでは、Ｒ，Ｇ，Ｂの画像データと、Ｒ，Ｇ，Ｂ，Ｗ（白）の画像データとを対応付けている。画像データ変換部１５０には、第１画像の画像データ（Ｒ，Ｇ，Ｂ）と第２画像の画像データ（Ｒ，Ｇ，Ｂ）とが入力される。そして、画像データ変換部１５０は、第１画像の画像データ（Ｒ，Ｇ，Ｂ）を、ＬＵＴ１６０ａを用いて第１画像の画像データ（Ｒ，Ｇ，Ｂ，Ｗ）に変換して、液晶パネル駆動部１４０に出力する。同様にして、画像データ変換部１５０は、第２画像の画像データ（Ｒ，Ｇ，Ｂ）を第２画像の画像データ（Ｒ，Ｇ，Ｂ，Ｗ）に変換して、液晶パネル駆動部１４０に出力する。そして、液晶パネル駆動部１４０は、入力される第１画像の画像データ（Ｒ，Ｇ，Ｂ，Ｗ）及び第２画像の画像データ（Ｒ，Ｇ，Ｂ，Ｗ）に基づき、液晶パネル１００に対して駆動信号を出力する。
【００２２】
図２は、図１に示す液晶パネル１００の概略構成を示す説明図である。この液晶パネル１００は、マトリクス状に配列された複数の色画素２２と、データ線駆動回路３０と、走査線駆動回路４０と、データ線駆動回路３０から各色画素２２に延びるデータ線２８と、走査線駆動回路４０から各色画素に延びる走査線２９と、を備えている。各色画素は、画素電極（図示省略）と、共通電極（図示省略）と、これら２つの電極で挟まれた液晶セル（図示省略）と、カラーフィルタ（図示省略）とを有している。データ線駆動回路３０は、液晶パネル駆動部１４０（図１）から入力される駆動信号に基づいて各色画素２２に与える印加電圧（画像信号）を制御する。走査線駆動回路４０は、印加電圧（画像信号）を与えるべき色画素２２の選択走査を行う。液晶パネル１００では、水平方向（Ｘ軸方向）に並んだ８つの色画素２２によって１つの画素２０が構成されている。
【００２３】
図３（Ａ）は、図１に示す視差バリヤ２００の詳細構成を示す説明図である。この視差バリヤ２００は、いわゆるステップバリヤであり、Ｙ軸方向に延びる複数の開口２１０が、それぞれ遮光部２２０を挟んでＸ軸に沿って所定の間隔で配置されている。
【００２４】
図３（Ｂ）は、視差バリヤ２００を介して第１の方向（図１）に表示される第１画像を模式的に示す説明図である。画素２０では、４つの開口２１０ａ〜２１０ｄから覗く４つの色画素２２ａ〜２２ｄからの光を射出する。そして、指向性画像表示装置１０００では、これら４つの色画素２２ａ〜２２ｄが、それぞれ異なる色の色画素となるように配置されている。
【００２５】
図４は、第１画像と第２の画像とを表示する際の指向性画像表示装置１０００の垂直断面を模式的に示す説明図である。なお、中心線Ｃｌは、液晶パネル１００の中心線に相当する。各色画素２２の観察者側の面（Ｘ−Ｙ面）には、カラーフィルタ１２０が配置されている。このカラーフィルタ１２０は、Ｒ，Ｇ，Ｂの３色のフィルタからなり、ガラス基板１１５の表面に形成されている。なお、ガラス基板１１５においてＷ（白）の色画素に対応する部分には、いずれの色のフィルタも形成されていない。したがって、Ｗの色画素では、図示せざる光源からの白色光をそのまま透過する。なお、Ｗの色画素に対応する部分に、透明又は白色のフィルタを形成することも可能である。そして、ガラス基板１１５の観察者側の面には、視差バリヤ２００が配置されている。
【００２６】
指向性画像表示装置１０００では、隣接する各色画素に交互に第１画像の画像データ（印加電圧）と、第２画像の画像データ（印加電圧）と、が与えられる。例えば、最も左の色画素２２ｕには、第１画像の画像データが与えられ、色画素２２ｕの右隣りの色画素２２ｖには、第２画像の画像データが与えられる。なお、以下において、第１画像の画像データが与えられる色画素を第１色画素と呼び、第２画像の画像データが与えられる色画素を第２色画素と呼ぶ。そして、第１色画素及び対応するカラーフィルタから射出された画像光は、視差バリヤ２００によって、中心線Ｃｌより左側に射出される。一方、第２色画素及び対応するカラーフィルタから射出された画像光は、視差バリヤ２００によって、中心線Ｃｌより右側に射出される。このようにして、ユーザは、中心線Ｃｌよりも左側において第１画像を見ることができ、中心線Ｃｌよりも右側において第２画像を見ることができる。
【００２７】
具体的には、例えば、第１色画素２２ｕ及びカラーフィルタ１２０ａから射出された画像光は、視差バリヤ２００において遮光部２２０ａで吸収され、また、開口２１０ａから液晶パネル１００の外へと射出され、また、遮光部２２０ｂで吸収される。従って、ユーザは、中心線Ｃｌよりも左側においてこの画像光を見ることができる。また、第２色画素２２ｖ及びカラーフィルタ１２０ｂから射出された画像光は、視差バリヤ２００において遮光部２２０ｂで吸収され、また、開口２１０ｂから液晶パネル１００の外へと射出される。従って、ユーザは、中心線Ｃｌよりも右側においてこの画像光を見ることができる。なお、第２色画素２２ｖ及びカラーフィルタ１２０ｂから射出された画像光は、開口２１０ａからも液晶パネル１００の外へと射出される。しかしながら、ユーザは、この画像光を、中心線Ｃｌから左側に大きくはずれた位置においてのみ見ることができる。従って、例えば、指向性画像表示装置１０００が車両に搭載される構成においては、ユーザは、かかる画像光を車両内で見ることはできない場合がある。
【００２８】
図５（Ａ）は、第１の実施例における色画素の配置を示す説明図である。各色画素行では、Ｒ，Ｇ，Ｂ，Ｗの４色の色画素からなる色画素セットが水平方向に並んでいる。図５（Ａ）の例では、第１の色画素セットＣＳ１と、第２の色画素セットＣＳ２とが水平方向に並んで配置されている。なお、これら２つの色画素セットＣＳ１，ＣＳ２の各色画素に付された番号は、各色画素セット内における左端（始端）からの順番を示す。例えば、色画素セットＣＳ１のＲ色画素に付された「１」は、左端（始端）から１番目の色画素であることを示す。
【００２９】
本実施例では、水平方向に隣り合う２つの色画素セットＣＳ１，ＣＳ２において、同じ色の色画素の順番の偶奇が、２つの色画素セットＣＳ１，ＣＳ２において互いに異なるように各色画素が配置されている。具体的には、第１の色画素セットＣＳ１においてＲ色画素は、奇数番目（１番目）であるが、第２の色画素セットＣＳ２では、Ｒ色画素は、偶数番目（４番目）に配置されている。また、第１の色画素セットＣＳ１においてＧ色画素は、偶数番目（２番目）であるが、第２の色画素セットＣＳ２では、Ｇ色画素は、奇数番目（１番目）に配置されている。また、第１の色画素セットＣＳ１においてＢ色画素は、奇数番目（３番目）であるが、第２の色画素セットＣＳ２では、Ｂ色画素は、偶数番目（２番目）に配置されている。また、第１の色画素セットＣＳ１においてＷ色画素は、偶数番目（４番目）であるが、第２の色画素セットＣＳ２では、Ｇ色画素は、奇数番目（３番目）に配置されている。
【００３０】
図５（Ｂ）は、図５（Ａ）の色画素の配置状態において、指向性画像表示装置１０００によって表示される第１画像を模式的に示す説明図である。上述したように、第１方向には、第１色画素からは画像光が届き、第２画素からは画像光が届かない（図４参照）。このとき、画素２０を構成する第１色画素はＲ，Ｇ，Ｂ，Ｗの各色の色画素であるので、第１画像はフルカラー表示されることとなる。
【００３１】
このように、画素２０において、第１色画素が各色の色画素で構成されているのは以下の理由による。すなわち、第１の色画素セットＣＳ１において奇数番目に配置した色画素は、第２の色画素セットＣＳ２において偶数番目に配置するようにしている。したがって、第１の色画素セットＣＳ１において第１色画素を構成する色画素と、第２の色画素セットＣＳ２において第１色画素を構成する色画素とは異なる。それゆえ、第１の色画素セットＣＳ１と第２の色画素セットＣＳ２とからなる画素２０では、第１色画素は、全ての色（Ｒ，Ｇ，Ｂ，Ｗ）の色画素で構成されることとなる。なお、第２画像についても同様に、各画素を構成する第２色画素は、Ｒ，Ｇ，Ｂ，Ｗの各色の色画素となり、第２画像もフルカラー表示される。
【００３２】
Ｂ．第２の実施例：
図６（Ａ）は、第２の実施例における色画素の配置を示す説明図である。図６（Ｂ）は、図６（Ａ）の色画素の配置状態において、指向性画像表示装置によって表示される第１画像を模式的に示す説明図である。第２の実施例における指向性画像表示装置は、第２の色画素セットＣＳ２ａ内における色画素の配列において、第１の実施例の指向性画像表示装置１０００（図１〜図５）と異なり、他の構成については同じである。
【００３３】
本実施例の色画素配列（図６（Ａ））においても、第１の実施例と同様に、水平方向に隣り合う２つの色画素セット（第１の色画素セットＣＳ１ａ及び第２の色画素セットＣＳ２ａ）において、同じ色の色画素の順番の偶奇が互いに異なるように各色画素が配置されている。したがって、画素２０（図６（Ｂ））を構成する第１色画素は、Ｒ，Ｇ，Ｂ，Ｗの各色の色画素となり、第１画像はフルカラー表示される。また、第２画像も同様にフルカラー表示される。
【００３４】
なお、図６（Ａ）に示すように、２つの色画素セットＣＳ１ａ，ＣＳ２ａ内の色画素の並びは、Ｗ色画素が、第１の色画素セットＣＳ１ａにおいて右端（４番目）であるのに対して、第２の色画素セットＣＳ２ａにおいて左端（１番目）となっている点が異なる。そして、他のＲ，Ｇ，Ｂの各色画素の並び（左から順番に、Ｒ，Ｇ，Ｂとなる並び）については、第１の色画素セットＣＳ１ａと第２の色画素セットＣＳ２ａとで同じになっている。したがって、予めＲ，Ｇ，Ｂの順番で並んだフィルタ片を製造しておき、かかるフィルタ片をガラス基板１１５において左右の色画素セット位置にずらして貼り付けることで、図６（Ａ）に示す色画素配列を実現することができる。それゆえ、隣接する色画素セット内における色画素の配置を互いに全く異なるように構成する場合に比べて指向性画像表示装置を容易に製造できる可能性が高い。
【００３５】
Ｃ．第３の実施例：
図７（Ａ）は、第３の実施例における色画素の配置を示す説明図である。図７（Ｂ）は、図７（Ａ）の色画素の配置状態において、指向性画像表示装置によって表示される第１画像を模式的に示す説明図である。第３の実施例における指向性画像表示装置は、第２の色画素セットＣＳ２ｂ内における色画素の配列において、第１の実施例の指向性画像表示装置１０００（図１〜図５）と異なり、他の構成については同じである。
【００３６】
図７（Ａ）に示すように、各色画素セットＣＳ１ａ，ＣＳ２ａは、それぞれ２色の色画素の組(以下「色画素組」とも呼ぶ)が２つ並んで構成されている。具体的には、第１の色画素セットＣＳ１ｂは、色画素組Ｐ１ａと色画素組Ｐ２ａとで構成されており、第２の色画素セットＣＳ２ｂは、色画素組Ｐ１ｂと色画素組Ｐ２ｂとで構成されている。ここで、色画素組Ｐ１ａと色画素組Ｐ１ｂとは、いずれもＲ色画素とＧ色画素とからなる点において共通する。しかしながら、色画素組Ｐ１ａと色画素組Ｐ１ｂとでは、これら２つの色画素（Ｒ，Ｇ）の順序が逆になっている点において異なる。同様にして、色画素組Ｐ１ｂと色画素組Ｐ２ｂとは、いずれもＢ色画素とＷ色画素とからなる。しかしながら、色画素組Ｐ１ｂと色画素組Ｐ２ｂとでは、これら２つの色画素（Ｂ，Ｗ）の順序が逆になっている。
【００３７】
このような色画素配列においても、第１の実施例と同様に、水平方向に隣り合う２つの色画素セット（第１の色画素セットＣＳ１ｂ及び第２の色画素セットＣＳ２ｂ）において、同じ色の色画素の順番の偶奇が互いに異なるように各色画素が配置されている。したがって、図７（Ｂ）に示すように、第１の方向において画像はフルカラー表示される。同様に、第２画像もフルカラー表示される。
【００３８】
Ｄ．第４の実施例：
図８は、第４の実施例における視差バリヤを示す説明図である。第４の実施例における指向性画像表示装置は、視差バリヤの形状において、第１の実施例における指向性画像表示装置１０００（図１〜図５）と異なり、他の構成については同じである。具体的には、第４の実施例における視差バリヤ２００ａは、遮光部２２０ａと、開口２１０ａと、が格子状に配置されたステップ構造を有している。
【００３９】
図９（Ａ）は、第４の実施例における色画素の配置を示す説明図である。なお、この配置は、第１の実施例における色画素の配置（図５（Ａ））と同じである。図９（Ｂ）は、図９（Ａ）の色画素の配置状態において、指向性画像表示装置によって表示される第１画像を模式的に示す説明図である。
【００４０】
視差バリヤ２００ａ(図８)では、或る行（Ｘ軸方向の色画素の並び）について見ると、視差バリヤ２００（図３）と同様に、所定の間隔ごとに開口２１０ａが設けられている。従って、本実施例においても、１つおきに配置された第１色画素（図９（Ｂ））からの光が視差バリヤ２００ａの開口２１０ａを透過し、第１画像はフルカラー表示される。同様に、第２画像もフルカラー表示される。
【００４１】
図１０は、他の色画素配列において、視差バリヤ２００ａを用いた場合に表示される第１画像を模式的に示す説明図である。図１０の例では、第３の実施例における色画素配列（図７（Ａ））において視差バリヤ２００ａを適用している。この場合も、画素２０では、第１色画素は、全ての色（Ｒ，Ｇ，Ｂ，Ｗ）の色画素で構成され、フルカラー表示される。同様に、第２画像もフルカラー表示される。
【００４２】
Ｅ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００４３】
Ｅ１．変形例１：
上述した各実施例で用いた色画素は、Ｒ，Ｇ，Ｂ，Ｗの色画素であったが、これらの色の色画素に限定するものではなく、例えば、ＥＧ（エメラルドグリーン）やＹＧ（黄緑）やＣ（シアン）やＭ（マゼンダ）やＹ（黄色）など任意の色の色画素を採用することができる。また、色画素の色の数は、４に限らず６や８など、任意の偶数色とすることができる。
【００４４】
Ｅ２．変形例２：
上述した各実施例では、画像表示機構として、液晶パネル１００を備えていたが、これに代えて、有機ＥＬや無機ＥＬ、プラズマなど、自発光素子を備えるものとしてもよい。例えば、有機ＥＬを用いる構成では、白色光を射出する素子の前面にカラーフィルタ層を配置して画像光を射出するカラーフィルタ方式と、Ｒ，Ｇ，Ｂ，Ｗの各色の光を射出する素子を用いて画像光を射出する独立発光方式とが考えられる。
【００４５】
Ｅ３．変形例３：
上述した各実施例では、指向性表示を可能とするために、視差バリヤ２００，２００ａを用いていたが、視差バリヤに代えて、複数のシリンドリカルレンズが集合した構成を有するレンチュキュラレンズ等を用いることもできる。
【００４６】
Ｅ４．変形例４：
上述した各実施例では、水平方向に隣接する２つの色画素セットにおいて、一方の色画素セットにおいて奇数番目に配置した色画素は、他方の画素セットＣＳ２において偶数番目となるように配置していた。しかしながら、本発明は、このような色画素配列に限定されるものではない。例えば、１つの画素を形成する水平方向に並んだ８つの色画素について、左から順番に、Ｒ，Ｒ，Ｇ，Ｇ，Ｂ，Ｂ，Ｗ，Ｗとなるように配置してもよい。この色画素配列では、例えばＲ色画素は、奇数番目（１番目）と偶数番目（２番目）とに配置されている。しかしながら、このような色画素配列においても、視差バリヤ２００或いは視差バリヤ２００ａを用いた場合に、各方向（第１及び第２方向）において画像（第１画像及び第２画像）がフルカラー表示されることとなる。すなわち、一般には、各画素における各色の色画素について、各画素の始端から測って奇数番目の位置にある副画素数と偶数番目の位置にある副画素数とが等しくなるような任意の配列を、本発明の指向性画像表示装置における色画素配列として採用することができる。なお、上述した各実施例では、指向性画像表示装置１０００は、第１方向及び第２方向の２方向に異なる画像を表示するものであったが、２方向に限らず任意の数の方向にそれぞれ異なる画像を表示するものであってもよい。この場合であっても、各画素において、各色の色画素について、奇数番目の位置にある色画素数と、偶数番目の位置にある色画素数とが等しくなるように色画素を配置することができる。
【００４７】
Ｅ５．変形例５：
第２の実施例では、２つの色画素セットＣＳ１ａ，ＣＳ２ａ内の色画素の並びは、Ｗ色画素が、第１の色画素セットＣＳ１ａにおいて右端（４番目）であるのに対して、第２の色画素セットＣＳ２ａにおいて左端（１番目）となっている点が異なっていたが、本発明は、このような色画素配列に限定されるものではない。例えば、Ｒ色画素が、第１の色画素セットＣＳ１ａにおいて左端（１番目）であるのに対して、第２の色画素セットにおいて、右端（４番目）となるように配置してもよい。なお、この場合、他のＧ，Ｂ，Ｗの色画素の並び（左から順番にＧ，Ｂ，Ｗとなる並び）については、第１の色画素セットＣＳ１ａと同じとなるようにしてもよい。すなわち、一般には、第１の色画素セット内においていずれか一方の端に位置する色画素と同じ色の色画素が、第２の色画素セットにおいて反対側の端に位置し、他の色画素の並びについては両色画素セットで同じとする任意の配列を、本発明の指向性画像表示装置における色画素配列として採用することができる。
【００４８】
Ｅ６．変形例６：
上述した実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００４９】
【図１】本発明の一実施例としての指向性画像表示装置の概略構成を示す説明図である。
【図２】図１に示す液晶パネル１００の概略構成を示す説明図である。
【図３】図１に示す視差バリヤ２００の詳細構成と、視差バリヤ２００を介して第１の方向に表示される第１画像を模式的に示す説明図である。
【図４】第１画像と第２の画像とを表示する際の指向性画像表示装置１０００の垂直断面を模式的に示す説明図である。
【図５】第１の実施例における色画素の配置と、指向性画像表示装置１０００によって表示される第１画像を模式的に示す説明図である。
【図６】第２の実施例における色画素の配置と、指向性画像表示装置によって表示される第１画像を模式的に示す説明図である。
【図７】第３の実施例における色画素の配置と、指向性画像表示装置によって表示される第１画像を模式的に示す説明図である。
【図８】第４の実施例における視差バリヤを示す説明図である。
【図９】第４の実施例における色画素の配置と、指向性画像表示装置によって表示される第１画像を模式的に示す説明図である。
【図１０】他の色画素配列において視差バリヤ２００ａを用いた場合に表示される第１画像を模式的に示す説明図である。
【図１１】従来の指向性画像表示装置における色画素の配列と、その色画素の配列において表示される画像を模式的に示す説明図である。
【符号の説明】
【００５０】
２０…画素
２２，２２ａ〜２２ｄ…色画素
２２ｕ…第１色画素
２２ｖ…第２色画素
２８…データ線
２９…走査線
３０…データ線駆動回路
４０…走査線駆動回路
１００…液晶パネル
１１５…ガラス基板
１２０，１２０ａ，１２０ｂ…カラーフィルタ
１４０…液晶パネル駆動部
１５０…画像データ変換部
１６０…メモリ
２００，２００ａ…視差バリヤ
２１０，２１０ａ，２１０ｂ…開口
２２０，２２０ａ，２２０ｂ…遮光部
１０００…指向性画像表示装置
ＣＳ１，ＣＳ１ａ，ＣＳ１ｂ…第１の色画素セット
ＣＳ２、ＣＳ２ａ，ＣＳ２ｂ…第２の色画素セット
Ｃｌ…中心線
Ｐ１ａ，Ｐ１ｂ，Ｐ２ａ，Ｐ２ｂ…色画素組
【図１】
2009003256.tif 000003
【図２】
2009003256.tif 000004
【図３】
2009003256.tif 000005
【図４】
2009003256.tif 000006
【図５】
2009003256.tif 000007
【図６】
2009003256.tif 000008
【図７】
2009003256.tif 000009
【図８】
2009003256.tif 000010
【図９】
2009003256.tif 000011
【図１０】
2009003256.tif 000012
【図１１】
2009003256.tif 000013